(57)【特許請求の範囲】
【請求項１】
ベースバンド信号を生成するベースバンドＬＳＩと、無線信号を送信する無線ブロックと、を備える無線通信装置における無線信号送信方法であって、
前記ベースバンドＬＳＩは、
前記無線ブロックの通信性能試験時には、前記無線ブロックを制御せず、
前記無線ブロックの通信性能試験時以外のときは、前記ベースバンド信号を生成するとともに、前記無線ブロックを制御する第１の制御情報を生成し、
前記無線ブロックは、
前記無線ブロックの通信性能試験時には、試験用測定装置から受信した第２の制御情報に従って前記無線信号を生成して送信し、
前記無線ブロックの通信性能試験時以外のときは、前記ベースバンドＬＳＩが生成した前記第１の制御情報に従って前記ベースバンド信号を前記無線信号に変換して送信する、
無線信号送信方法。
【請求項２】
前記試験用測定装置は、前記第２の制御情報としての無線信号を前記無線通信装置に送信する前に、所定の無線信号を前記無線通信装置に対して送信し、
前記無線ブロックは、前記所定の無線信号を受信した場合に、その後に受信する無線信号から前記第２の制御情報を取り出す、
請求項１に記載の無線信号送信方法。 
【請求項３】
ベースバンド信号を生成するベースバンドＬＳＩと、
無線信号を送信する無線ブロックと、を備える無線通信装置であって、
前記ベースバンドＬＳＩは、
前記無線ブロックの通信性能試験時には、前記無線ブロックを制御せず、
前記無線ブロックの通信性能試験時以外のときは、前記ベースバンド信号を生成するとともに、前記無線ブロックを制御する第１の制御情報を生成し、
前記無線ブロックは、
前記無線ブロックの通信性能試験時には、試験用測定装置から受信された第２の制御情報に従って前記無線信号を生成し、
前記無線ブロックの通信性能試験時以外のときは、前記ベースバンドＬＳＩが生成した前記第１の制御情報に従って前記ベースバンド信号を前記無線信号に変換する、
無線通信装置。
【請求項４】
ベースバンド信号を生成するベースバンドＬＳＩと、無線信号を送信する無線ブロックと、を備える無線通信装置と、
該無線通信装置の無線通信性能を測定する試験用測定装置と、
を含む無線通信性能試験システムであって、
前記ベースバンドＬＳＩは、
前記無線ブロックの通信性能試験時には、前記無線ブロックを制御せず、
前記無線ブロックの通信性能試験時以外のときは、前記ベースバンド信号を生成するとともに、前記無線ブロックを制御する第１の制御情報を生成し、
前記無線ブロックは、
前記無線ブロックの通信性能試験時には、前記試験用測定装置から受信した第２の制御情報に従って前記無線信号を生成し、
前記無線ブロックの通信性能試験時以外のときは、前記ベースバンドＬＳＩが生成した前記第１の制御情報に従って前記ベースバンド信号を前記無線信号に変換し、
前記試験用測定装置は、
前記無線ブロックを制御する前記第２の制御情報を前記無線通信装置に送信し、
前記無線ブロックから送信される前記無線信号の測定を行う、
無線通信性能試験システム。
【発明の詳細な説明】
【技術分野】
【０００１】
本発明は、無線信号送信方法、無線通信装置及び無線通信性能試験システムに関する。
【背景技術】
【０００２】
従来、携帯電話やＰＨＳ(Personal Handy-phone System)等の無線通信装置の無線通信性能を試験する無線通信性能試験システムが知られている。従来の無線通信性能試験システムは、試験対象となる無線通信装置に対して制御用ＰＣ（Personal Computer）及び無線機テスタを接続する。そして、制御用ＰＣが無線通信装置に対して制御情報を送信すると、無線通信装置は制御情報に応じて試験動作を行う。その結果、無線通信装置が出力したデータは無線機テスタを介して制御用ＰＣに転送され、この制御用ＰＣによって試験結果が判定される。
【０００３】
従来の無線通信性能試験システムの構成の一例を説明する。ここでは、携帯電話を試験対象とした場合を示している。図１３は、携帯電話の無線通信性能を試験する無線通信性能試験システムの構成を示す図である。図１３に示すように、無線通信性能試験システムは、携帯電話５１０と、無線機テスタ５２０と、制御用ＰＣ５３０とを含む。
【０００４】
携帯電話５１０は、ＲＦ信号の送受信処理を実行するＲＦ(Radio Frequency、高周波)ブロック５１１と、ＲＦブロック５１１の動作を制御するベースバンド部５１２とを有する。ＲＦブロック５１１が無線通信性能の試験対象となる。
【０００５】
無線機テスタ５２０は、ＲＦケーブル５６０を用いて携帯電話５１０と接続され、携帯電話５１０から送信されたＲＦ信号の送信周波数や送信電力等を測定する。制御用ＰＣ５３０は、制御用ケーブル５４０を介して携帯電話５１０に制御情報を送信して、携帯電話５１０のＲＦブロック５１１にＲＦ信号の送信処理を行わせる。また、制御用ＰＣ５３０は、制御用ケーブル５５０を介して無線機テスタ５２０に制御情報を送信して、無線機テスタ５２０にＲＦ信号の測定を行わせる。さらに、制御用ＰＣ５３０は、無線機テスタ５２０の測定結果を制御用ケーブル５５０を介して取得し、取得した測定結果を用いて携帯電話５１０の無線通信性能の良否を判定する。
【０００６】
次に、図１３に示した無線通信性能試験システムの無線通信性能試験の処理手順について説明する。図１４は、図１３に示した無線通信性能試験システムの無線通信性能試験時の処理手順を示すフローチャートである。
【０００７】
図１４に示すように、携帯電話５１０に電源が投入されると（ステップＳ０１）、ＲＦブロック５１１及びベースバンド部５１２が起動する。制御用ＰＣ５３０は、ＲＦブロック５１１及びベースバンド部５１２の起動を確認した後に、無線機テスタ５２０に対して無線通信性能試験用の初期設定を行う（ステップＳ０２）。そして、無線機テスタ５２０の初期設定が完了したならば、携帯電話５１０及び無線機テスタ５２０に制御情報を送信して動作設定を行う（ステップＳ０３）。
【０００８】
具体的には、携帯電話５１０は、ベースバンド部５１２が制御用ＰＣ５３０から制御情報を受信したならば、ＲＦブロック５１１の動作制御を行う。例えば、ベースバンド部５１２は、所定の送信周波数や送信電力でＲＦ信号を送信するようＲＦブロック５１１を動作させる。一方、制御用ＰＣ５３０から制御情報を受信した無線機テスタ５２０は、携帯電話５１０から受信したＲＦ信号の送信周波数や送信電力等を測定し、測定結果を制御用ＰＣ５３０に送信する。
【０００９】
制御用ＰＣ５３０は、無線機テスタ５２０から測定結果を受信したならば、無線通信性能試験処理を行う（ステップＳ０４）。具体的には、制御用ＰＣ５３０は、無線機テスタ５２０から受信した測定結果を用いて携帯電話５１０の無線通信性能の良否を判定する。例えば、制御用ＰＣ５３０は、携帯電話５１０が正しい送信電力でＲＦ信号を送信していないと判定した場合には、ＲＦブロック５１１内に設けられている電力増幅回路の電力増幅率の設定値を変更する。
【００１０】
このように、制御用ＰＣ５３０は、送信周波数及び送信電力等を設定条件とした無線通信性能試験処理を行うが、適宜送信周波数と送信電力等の設定条件を変えながら無線通信性能試験処理を繰り返す（ステップＳ０５）。制御用ＰＣ５３０は、未処理の設定条件が存在する場合には（ステップＳ０５否定）、ステップＳ０３に移行して同様の処理を行わせる。
【００１１】
これに対して、制御用ＰＣ５３０は、全ての設定条件について試験を終えた場合には（ステップＳ０５肯定）、ステップＳ０４の無線通信性能試験処理が正常に行われたか否かを判定する（ステップＳ０６）。ここで、エラーの発生等により無線通信性能試験処理が正常に行われなかった設定条件がある場合には（ステップＳ０６否定）、制御用ＰＣ５３０は、該当する設定条件の無線通信性能試験処理を再実施する（ステップＳ０７）。
【００１２】
一方、全ての設定条件の無線通信性能試験処理が正常に行われた場合には（ステップＳ０６肯定）、制御用ＰＣ５３０は、無線通信性能試験を終了する。なお、ここでは説明の便宜上、無線通信性能の試験手順について説明したが、試験を行う前に、同様の手順で無線通信性能の調整を行う場合もある。
【先行技術文献】
【特許文献】
【００１３】
【特許文献１】特開２００４−２７４３０７号公報
【発明の概要】
【発明が解決しようとする課題】
【００１４】
しかしながら、従来の無線通信性能試験システムでは、携帯電話５１０のＲＦブロック５１１の無線通信性能試験を行うために、試験とは無関係なベースバンド部５１２を介在させねばならず効率的ではないと言う問題がある。つまり、ＲＦブロック５１１の試験のためにベースバンド部５１２を起動し、起動したベースバンド部５１２からＲＦブロック５１１を制御させたのでは、試験時間が長くなってしまう。
【００１５】
また、従来の無線通信性能試験システムでは、制御用ＰＣ５３０が携帯電話５１０の動作設定を行う度に、携帯電話５１０から制御用ＰＣ５３０に設定応答が通知される。このため、従来の無線通信性能試験システムでは、制御用ＰＣ５３０に設定応答が通知されるまで待ち時間が嵩み、試験時間が長くなってしまうおそれもある。
【００１６】
また、従来の無線通信性能試験システムでは、携帯電話５１０、無線機テスタ５２０及び制御用ＰＣ５３０が一組として試験されるので、試験対象となる携帯電話５１０の台数が増えると、その数だけ制御用ＰＣ５３０を設置する必要がある。このように、携帯電話５１０の数だけ制御用ＰＣ５３０を設置するのは、コスト面のみならず設置スペースの面でも効率的ではない。なお、これらの問題は、携帯電話５１０を試験対象とした場合だけではなく、他の無線通信装置を試験対象とした場合にも同様に生ずる問題である。
【００１７】
開示の技術は、上記に鑑みてなされたものであって、無線通信装置の無線通信性能試験を効率良く行うことのできる無線信号送信方法、無線通信装置及び無線通信性能試験システムを提供することを目的とする。
【課題を解決するための手段】
【００１８】
本願の開示する無線通信性能試験方法は、一つの態様において、無線通信装置に設けられた無線信号の送受信処理を行う無線ブロックの無線通信性能を試験する無線通信性能試験方法であって、前記無線ブロックの無線通信性能を測定する無線通信試験用測定装置が、前記無線ブロックによる無線信号の送受信処理を制御する制御情報を前記無線ブロックに対して無線信号により送信する送信ステップと、前記無線ブロックが、前記送信ステップにより送信された無線信号から前記制御情報を取り出し、取り出した制御情報に基づき無線信号の送受信処理を実行する送受信処理ステップと、前記無線ブロックの送受信処理により送受信された無線信号の測定を行う無線通信性能測定処理ステップとを含む。
【発明の効果】
【００１９】
上記の一つの態様によれば、無線通信装置の無線通信性能試験を効率良く行うことができる。
【図面の簡単な説明】
【００２０】
【図１】図１は、実施例１に係る無線通信性能試験方法を説明するための図である。
【図２】図２は、実施例２に係る無線通信性能試験システムの構成を示す図である。
【図３】図３は、実施例２に係る無線機テスタの構成を示す図である。
【図４】図４は、ＲＦブロック及びＢＢ−ＬＳＩの構成を示すブロック図である。
【図５】図５は、ＲＦ−ＬＳＩの受信部の構成を示す図である。
【図６】図６は、ＲＦ制御信号から制御情報を取出す方法を説明するための図である。
【図７】図７は、ＲＦ−ＬＳＩの送信部の構成を示す図である。
【図８−１】図８−１は、実施例２に係る無線通信性能調整時の処理手順を示すフローチャートである。
【図８−２】図８−２は、実施例２に係る無線通信性能試験時の処理手順を示すフローチャートである。
【図９】図９は、実施例２に係る無線機テスタの処理手順を示すフローチャートである。
【図１０】図１０は、実施例２に係る無線通信性能調整処理の処理手順を示すフローチャートである。
【図１１】図１１は、実施例２に係る無線通信性能試験処理の処理手順を示すフローチャートである。
【図１２】図１２は、実施例２に係る携帯電話の処理手順を示すフローチャートである。
【図１３】図１３は、携帯電話の無線通信性能を試験する無線通信性能試験システムの構成を示す図である。
【図１４】図１４は、図１３に示した無線通信性能試験システムの無線通信性能試験時の処理手順を示すフローチャートである。
【発明を実施するための形態】
【００２１】
以下に、本願の開示する無線通信性能試験方法、無線通信試験用測定装置及び無線通信性能試験システムの実施例を図面に基づいて詳細に説明する。なお、この実施例によりこの発明が限定されるものではない。
【実施例１】
【００２２】
実施例１に係る無線通信性能試験方法について説明する。実施例１に係る無線通信性能試験方法では、無線通信性能試験の対象となる無線ブロックの動作制御を無線機テスタが主体となって行う。図１は、実施例１に係る無線通信性能試験方法を説明するための図である。
【００２３】
図１に示すように、無線通信試験用測定装置５０は、無線通信装置６０の無線通信性能を試験する装置である。具体的には、無線通信試験用測定装置５０は、制御情報送信部５１と無線通信性能測定処理部５２とを有する。また、無線通信装置６０は、無線通信性能の試験対象である無線ブロック６１を有する。無線ブロック６１は、無線信号の送受信処理を行う回路ブロックであり、具体的には、無線ブロック６１は、制御情報取出部６２と、送受信処理部６３とを有する。
【００２４】
制御情報送信部５１は、無線ブロック６１による無線信号の送受信処理を制御する制御情報を無線ブロック６１に対して無線信号により送信する。無線通信性能測定処理部５２は、無線ブロック６１により送信される無線信号の測定を行う。
【００２５】
制御情報取出部６２は、無線通信試験用測定装置５０から送信された無線信号から制御情報を取り出す。送受信処理部６３は、制御情報取出部６２により取り出された制御情報に基づき、無線信号の送受信処理を実行する。
【００２６】
実施例１に係る無線通信性能試験方法では、まず、無線通信試験用測定装置５０の制御情報送信部５１が、無線ブロック６１に対して制御情報を無線信号により送信する。制御情報送信部５１から無線信号を受信したならば、無線ブロック６１の制御情報取出部６２は、受信した無線信号から制御情報を取り出す。
【００２７】
そして、無線ブロック６１の送受信処理部６３は、制御情報取出部６２により取り出された制御情報に基づき、無線信号の送受信処理を実行する。例えば、送受信処理部６３は、制御情報取出部６２により取り出された制御情報の内容に従い、試験用の無線信号を無線通信試験用測定装置５０に送信する。
【００２８】
このように、実施例１に係る無線通信性能試験方法では、無線通信試験用測定装置５０が無線ブロック６１の動作制御のための制御信号を無線ブロック６１に直接送信する。このため、無線ブロック６１は、無線通信性能試験とは無関係なベースバンド部を介することなく制御情報を取得することができる。この結果、実施例１に係る無線通信性能試験方法では、無線通信性能試験の対象外であるベースバンド部の起動時間を削減できるとともに、無線通信装置６０内部の処理時間を短縮することができる。
【００２９】
また、実施例１に係る無線通信性能試験方法は、無線通信試験用測定装置５０が無線ブロック６１を制御するので、無線通信装置６０の動作制御のための制御用ＰＣを無線通信装置６０ごとに用意する必要がなくなる。このため、実施例１に係る無線通信性能試験方法は、複数台の無線通信装置６０の無線通信性能試験を行う場合のコスト面や設置スペースの面での効率性を向上させることができる。
【実施例２】
【００３０】
次に、実施例２に係る無線通信性能試験方法、無線通信試験用測定装置及び無線通信性能試験システムについて説明する。実施例２では、無線通信装置の一例として、携帯電話を用いて説明する。また、実施例２では、ＲＦブロックの無線通信性能のばらつきを補正する無線通信性能調整及びＲＦブロックの無線通信性能を試験する無線通信性能試験（以下、「無線調整／試験」とする）が行われる場合について説明する。
【００３１】
図２は、実施例２に係る無線通信性能試験システムの構成を示す図である。同図に示すように、実施例２に係る無線通信性能試験システムＳは、携帯電話１ａ〜１ｃと、無線機テスタ２ａ〜２ｃと、制御用ＰＣ３とを含む。
【００３２】
また、無線通信性能試験システムＳは、携帯電話１ａ〜１ｃと無線機テスタ２ａ〜２ｃとをそれぞれＲＦケーブル４ａ〜４ｃを用いて接続し、無線機テスタ２ａ〜２ｃと制御用ＰＣ３とを制御用ケーブル５を介して接続する。このように、実施例２に係る無線通信性能試験システムＳでは、複数台の携帯電話１ａ〜１ｃ、無線機テスタ２ａ〜２ｃに対して１台の制御用ＰＣ３が設けられる。なお、制御用ケーブル５としては、例えば、ＵＳＢ（Universal Serial Bus）ケーブルやＧＰＩＢ（General Purpose Interface Bus）ケーブル等を用いることができる。
【００３３】
携帯電話１ａ〜１ｃは、無線信号として用いられるＲＦ信号の送受信処理を実行するＲＦブロック１０ａ〜１０ｃと、ＲＦブロック１０ａ〜１０ｃの動作を制御するＢＢ−ＬＳＩ（Baseband-Large Scale Integration）１８ａ〜１８ｃとを有する。ＲＦブロック１０ａ〜１０ｃが無線通信性能の試験対象となる。例えば、ＲＦブロック１０ａ〜１０ｃは、無線通信性能試験時に、試験用のＲＦ信号を無線機テスタ２ａ〜２ｃに送信したり、無線機テスタ２ａ〜２ｃから送信された試験用のＲＦ信号を受信したりする。
【００３４】
無線機テスタ２ａ〜２ｃは、ＲＦブロック１０ａ〜１０ｃの無線通信性能を試験する無線通信試験用測定装置である。例えば、無線機テスタ２ａ〜２ｃは、ＲＦブロック１０ａ〜１０ｃから送信されたＲＦ信号の送信周波数や送信電力等を測定したり、ＲＦブロック１０ａ〜１０ｃに試験用のＲＦ信号を送信したりする。制御用ＰＣ３は、無線機テスタ２ａ〜２ｃの動作を制御する制御装置である。
【００３５】
実施例２に係る無線通信性能試験システムＳでは、ＲＦブロック１０ａ〜１０ｃの動作を制御する制御情報を、ＢＢ−ＬＳＩ１８ａ〜１８ｃからではなく、無線機テスタ２ａ〜２ｃからＲＦ信号により送信する。そして、ＲＦブロック１０ａ〜１０ｃは、無線機テスタ２ａ〜２ｃからＲＦ信号を受信すると、受信したＲＦ信号から制御情報を取り出し、取り出した制御情報の内容に応じて、試験動作を行う。つまり、実施例２に係るＲＦブロック１０ａ〜１０ｃは、ＢＢ−ＬＳＩ１８ａ〜１８ｃからではなく、無線機テスタ２ａ〜２ｃからの制御によりＲＦ信号の送受信処理を実行する。
【００３６】
このように、無線通信性能試験システムＳでは、ＢＢ−ＬＳＩ１８ａ〜１８ｃからのＲＦブロック１０ａ〜１０ｃの制御が不要となるため、ＢＢ−ＬＳＩ１８ａ〜１８ｃの起動時間を削減できるとともに、携帯電話１ａ〜１ｃ内部の処理時間を短縮できる。
【００３７】
また、実施例２に係る無線通信性能試験システムＳにおいて、制御用ＰＣ３による無線機テスタ２の制御は、無線調整／試験の開始時および無線調整／試験の終了後のデータ読出し時にのみ行われる。このため、制御用ＰＣ３は、複数台の無線機テスタ２ａ〜２ｃを容易に制御することができる。
【００３８】
次に、携帯電話１ａ〜１ｃ及び無線機テスタ２ａ〜２ｃの構成について説明する。以下では、携帯電話１ａ〜１ｃのうちの任意の携帯電話１ａ〜１ｃを単に「携帯電話１」とする。同様に、無線機テスタ２ａ〜２ｃのうちの任意の無線機テスタ２ａ〜２ｃを「無線機テスタ２」とし、ＲＦケーブル４ａ〜４ｃのうち、任意のＲＦケーブル４ａ〜４ｃを「ＲＦケーブル４」とする。
【００３９】
まず、無線機テスタ２の構成について説明する。図３は、実施例２に係る無線機テスタの構成を示す図である。同図に示すように、無線機テスタ２は、外部ＩＦ（Interface）コネクタ２１と、外部ＩＦ部２２と、記憶部２３と、ＢＢ処理部２４と、変調機２５と、送信部２６とを有する。また、無線機テスタ２は、ＨＹＢ（Hybrid、信号分岐装置）２７と、送受信コネクタ２８と、受信部２９と、復調機３０と、無線通信性能測定部３１と、制御部３２とを有する。
【００４０】
外部ＩＦコネクタ２１は、制御用ＰＣ３との接続に用いられるコネクタである。外部ＩＦ部２２は、外部ＩＦコネクタ２１から入力された信号を制御部３２に出力し、制御部３２から入力された信号を外部ＩＦコネクタ２１に出力する。記憶部２３は、ＲＡＭ（Random Access Memory）やＲＯＭ（Read Only Memory）あるいはＨＤＤ（Hard Disk Drive）等の記憶装置であり、無線調整／試験の手順等を記憶する。
【００４１】
ＢＢ処理部２４は、ＲＦブロック１０への送信信号を生成する。また、ＢＢ処理部２４は、復調機３０から入力された信号から測定結果等の情報を取り出し、制御部３２に受け渡す。変調機２５は、ＢＢ処理部２４から入力された信号を変調する。送信部２６は、変調機２５から入力された信号をＲＦ信号に変換し、変換したＲＦ信号をＨＹＢ２７に入力する。
【００４２】
ＨＹＢ２７は、送信部２６から入力された信号を送受信コネクタ２８に出力し、送受信コネクタ２８から入力された信号を受信部２９に出力する。送受信コネクタ２８は、携帯電話１との接続に用いられるコネクタである。受信部２９は、ＨＹＢ２７から入力された信号の変換や増幅等を行い、復調機３０又は無線通信性能測定部３１に出力する。復調機３０は、受信部２９から入力された信号を復調して、ＢＢ処理部２４に出力する。
【００４３】
無線通信性能測定部３１は、ＲＦブロック１０の無線通信性能を測定する。具体的には、無線通信性能測定部３１は、ＲＦブロック１０から送信される試験用のＲＦ信号の送信周波数や送信電力等を測定し、測定結果を制御部３２に出力する。なお、ＲＦブロック１０から送信された試験用のＲＦ信号は、ＲＦケーブル４、送受信コネクタ２８、ＨＹＢ２７及び受信部２９を介して無線通信性能測定部３１に出力される。
【００４４】
制御部３２は、ＣＰＵ（Central Processing Unit）等であり、無線機テスタ２全体を制御する。特に、制御部３２は、制御情報送信部３２０を有する。制御情報送信部３２０は、ＲＦブロック１０の動作を制御するＲＦ制御信号をＲＦブロック１０に送信する。ここで、制御情報送信部３２０によるＲＦ制御信号の送信処理について説明する。
【００４５】
制御情報送信部３２０は、ＲＦブロック１０にＲＦ制御信号を送信する場合には、まず、制御情報を振幅変調してＲＦ制御信号を生成する。具体的には、ＲＦブロック１０の動作を制御する制御情報は、１又は０の値を含むビットデータである。そして、制御情報送信部３２０は、ＲＦブロック１０に送信する信号の振幅レベルを高出力と低出力とで切り替え、高出力と低出力とにそれぞれ１又は０の値を割当てことで、ビットデータである制御情報をアナログ信号としてＲＦブロック１０に送信する。なお、振幅レベルの切り替えは、変調機２５により行われる。
【００４６】
このように、無線通信性能試験システムＳでは、無線機テスタ２が、ＲＦブロック１０の動作を制御する制御情報をＲＦ信号によりＲＦブロック１０に送信する。このため、無線機テスタ２からは、試験用のＲＦ信号及びＲＦ制御信号の２種類のＲＦ信号がＲＦブロック１０に送信されることとなる。
【００４７】
そこで、制御情報送信部３２０は、送信するＲＦ信号が試験用のＲＦ信号であるかＲＦ制御信号であるかをＲＦブロック１０に認識させるため、ＲＦブロック１０にＲＦ制御信号を送信する前に、所定の振幅レベルのＲＦ信号をＲＦブロック１０に送信する。具体的には、制御情報送信部３２０は、ＲＦブロック１０にＲＦ制御信号を送信する前に、−３０ｄＢｍ以上の振幅レベルを有するＲＦ信号を一定時間以上送信した後、さらに、−９０ｄＢｍ以下の振幅レベルを有するＲＦ信号を一定時間以上送信する。
【００４８】
また、制御部３２は、記憶部２３に記憶された無線調整／試験の手順に従い、ＲＦブロック１０に試験用のＲＦ信号を送信する。具体的には、制御部３２は、ＢＢ処理部２４、変調機２５、送信部２６を制御することにより、試験用のＲＦ信号をＲＦブロック１０に対して送信する。
【００４９】
また、制御部３２は、ＢＢ処理部２４又は無線通信性能測定部３１から測定結果情報を受け取ると、ＲＦブロック１０の無線通信性能を調整する必要があるか否かを判定する。具体的には、制御部３２は、ＲＦブロック１０から送信された試験用のＲＦ信号が、ＲＦ制御信号によって指定された送信周波数や送信電力等で正しく送信されたか否かを判定する。また、制御部３２は、ＲＦブロック１０が、試験用のＲＦ信号を正しい受信周波数や受信電力等で受信したか否かを判定する。そして、制御部３２は、ＲＦブロック１０の無線通信性能を調整する必要があると判定すると、無線通信性能調整用のＲＦ制御信号をＲＦブロック１０に送信して、ＲＦブロック１０に無線通信性能の調整を行わせる。
【００５０】
次に、携帯電話１の有するＲＦブロック１０及びＢＢ−ＬＳＩ１８の構成について説明する。図４は、ＲＦブロック１０及びＢＢ−ＬＳＩ１８の構成を示すブロック図である。
【００５１】
図４に示すように、ＲＦブロック１０は、ＡＮＴ（Antenna）１１と、ＴＥＳＴ−ＣＨ（TEST-Channel）１２と、ＡＮＴ−ＳＷ（ANT-Switch）１３と、ＤＵＰ（Duplexer、アンテナ共用器）１４と、ＰＡ（Power Amplifier、電力増幅器）１５と、ＩＳＯ（Isolator、電力伝達素子）１６とを有する。また、ＲＦブロック１０は、ＲＦ−ＬＳＩ１７を有する。
【００５２】
ＡＮＴ１１は、ＲＦ信号を送受信するアンテナである。ＴＥＳ−ＣＨ１２は、無線機テスタ２を接続する場合に用いられる無線通信性能試験用のコネクタである。ＡＮＴ−ＳＷ１３は、送信するＲＦ信号をＡＮＴ１１又はＴＥＳ−ＣＨ１２の何れかに分岐させる。ＤＵＰ１４は、ＰＡ１５から入力される送信信号をＡＮＴ１１又はＴＥＳＴ−ＣＨ１２に出力する。また、ＤＵＰ１４は、ＡＮＴ１１又はＴＥＳＴ−ＣＨ１２から入力される受信信号をＲＦ−ＬＳＩ１７に出力する。ＰＡ１５は、ＲＦ−ＬＳＩ１７から入力される送信信号の送信電力を増幅する。ＩＳＯ１６は、送信信号を一方向にのみ伝達させる。
【００５３】
ＲＦ−ＬＳＩ１７は、主にＲＦブロック１０の動作制御を行う集積回路である。具体的には、ＲＦ−ＬＳＩ１７は、アナログ処理部１００と、デジタル処理部１１０と、メモリ部１２０と、ＩＦ（Intermediate Frequency、中間周波）部１３０とを有する。
【００５４】
アナログ処理部１００は、送信信号（ＴＸ信号）及び受信信号（ＲＸ信号）のアナログ処理を行う。具体的には、アナログ処理部１００は、デジタル処理部１１０から入力されるＴＸ信号をＲＦ信号に変換する。また、アナログ処理部１００は、ＤＵＰ１４から入力されるＲＸ信号の増幅や変調等を行う。
【００５５】
デジタル処理部１１０は、アナログ処理部１００から入力されるＲＸ信号のＡＤ（Analog-Digital）変換及びＩＦ部１３０から入力される信号のＤＡ（Digital- Analog）変換等を行う。また、デジタル処理部１１０は、ＲＦブロック１０全体の制御を行う制御部１１１を有する。制御部１１１は、ＣＰＵ等である。
【００５６】
メモリ部１２０は、例えば、ＲＡＭやＲＯＭ、フラッシュメモリなどの半導体メモリ素子である。ＩＦ部１３０は、デジタル処理部１１０又はＢＢ−ＬＳＩ１８から入力されたＩＦ信号の変復調を行う。
【００５７】
ＢＢ−ＬＳＩ１８は、信号処理部１８１と、ＲＦ制御部１８２と、ＩＦ部１８３とを有する。信号処理部１８１は、ＴＸ信号の生成を行う。また、信号処理部１８１は、ＲＦ−ＬＳＩ１７から入力された信号を音声やデータに変換する。ＲＦ制御部１８２は、ＲＦ−ＬＳＩ１８の動作を制御する制御情報を生成する。ＩＦ部１８３は、信号処理部１８１やＲＦ制御部１８２、ＲＦ−ＬＳＩ１７から入力された信号の変復調を行う。
【００５８】
ここで、実施例２に係るＲＦブロック１０は、無線機テスタ２から送信されるＲＦ制御信号に基づいてＲＦ信号の送受信処理を実行する。このため、実施例２に係る無線通信性能試験システムＳでは、ＢＢ−ＬＳＩ１８によるＲＦブロック１０の制御を不要とする。
【００５９】
具体的には、ＲＦブロック１０は、無線機テスタ２からのＲＦ制御信号をＴＥＳＴ−ＣＨ１２により受信する。ＴＥＳＴ−ＣＨ１２により受信されたＲＦ制御信号は、ＡＮＴ−ＳＷ１３及びＤＵＰ１４を経由して、ＲＦ−ＬＳＩ１７のアナログ処理部１００に入力される。
【００６０】
アナログ処理部１００に入力されたＲＦ制御信号は、アナログ処理部１００によってアナログ処理された後、デジタル処理部１１０に出力され、デジタル処理部１１０内の制御部１１１によって制御情報が取り出される。
【００６１】
制御情報を取り出したならば、制御部１１１は、取り出した制御情報の内容に従いＲＦブロック１０の動作制御を行う。例えば、ＲＦ制御情報から取り出した制御情報の内容が、試験用のＲＦ信号を送信すべきことを示している場合には、制御部１１１は、かかる制御情報の内容に従い、試験用のＲＦ信号を無線機テスタ２に送信する。ここで、制御情報には、送信すべきＲＦ信号の送信周波数や送信電力等を指定する情報が含まれており、制御部１１１は、制御情報により指定された送信周波数や送信電力等を用いて試験用のＲＦ信号を送信する。
【００６２】
試験用のＲＦ信号は、制御部１１１によって生成された後、デジタル処理部１１０によりＤＡ変換されて、アナログ処理部１００に出力される。そして、試験用のＲＦ信号は、アナログ処理部１００によりＲＦ信号に変換され、ＰＡ１５により増幅された後、ＩＳＯ１６、ＤＵＰ１４およびＡＮＴ−ＳＷ１３を経由して、ＴＥＳＴ−ＣＨ１２から無線機テスタ２に送信される。
【００６３】
また、ＲＦ制御情報から取り出した制御情報の内容が、試験用のＲＦ信号を受信すべきことを示している場合に、制御部１１１は、かかる制御情報の内容に従い、無線機テスタ２から送信される試験用のＲＦ信号の受信待機状態に移行する。そして、制御部１１１は、無線機テスタ２から試験用のＲＦ信号を受信すると、その周波数や電力等を測定し、測定結果を無線機テスタ２に送信する。
【００６４】
また、ＲＦ制御情報から取り出した制御情報の内容が、無線通信性能を調整すべきことを示している場合に、制御部１１１は、かかる制御情報の内容に従い、ＲＦブロック１０の無線通信性能調整を行う。例えば、制御部１１１は、ＰＡ１５によるＲＦ信号の電力増幅率の設定値を変更することにより、ＲＦ信号の送信電力を調整する。
【００６５】
なお、ＲＦブロック１０は、無線調整／試験時以外では、ＢＢ−ＬＳＩ１８からの制御により動作する。例えば、ＢＢ−ＬＳＩ１８は、ＲＦ制御部１８２によりＲＦ−ＬＳＩ１７の制御情報を生成し、ＩＦ部１８３を介してＲＦ−ＬＳＩ１７に出力する。そして、ＲＦ−ＬＳＩ１１７は、ＲＦ制御部１８２から制御情報が入力されると、入力された制御情報の内容に従い、ＲＦブロック１０の動作制御を行う。
【００６６】
また、ＢＢ−ＬＳＩ１８は、無線調整／試験時以外では、信号処理部１８１によりＴＸ信号生成し、ＩＦ部１８３、１３０を経由して、ＲＦ−ＬＳＩ１７のデジタル処理部１１０に入力する。そして、デジタル処理部１１０に入力されたＴＸ信号は、デジタル処理部１１０によりＡＤ変換され、アナログ処理部１００によりＲＦ信号に変換された後、ＰＡ１５、ＩＳＯ１６、ＤＵＰ１４およびＡＮＴ−ＳＷ１３を経由して、ＡＮＴ１１から出力される。
【００６７】
ＲＦ−ＬＳＩ１７のより具体的な構成について説明する。まず、ＲＦ−ＬＳＩ１７の受信部の構成について説明する。図５は、ＲＦ−ＬＳＩ１７の受信部の構成を示す図である。
【００６８】
図５に示すように、ＲＦ−ＬＳＩ１１７の受信部１７’は、ＬＮＡ（Low-Noise Amplifier、低雑音増幅器）１７１と、ＱＤＥＭ（Quadrature Demodulator、直交復調器）１７２と、アナログＶＧＡ（Variable Gain Amplifier、可変ゲインアンプ）１７３とを有する。また、受信部１７’は、ＡＤＣ（Analog-Digital Converter）１７４と、デジタルＶＧＡ１７５と、ＤＥＴ（Detector、検波器）１７６と、ＡＧＣ（Auto Gain Control、自動利得制御部）１７７と、制御部１１１とを有する。
【００６９】
ＬＮＡ１７１は、ＤＵＰ１４から入力されたＲＦ信号（RXin）を増幅する。ＱＤＥＭ１７２は、ＬＡＮ１７１から入力された信号の周波数変換を行う。アナログＶＧＡ１７３は、ＱＤＥＭ１７２から入力された信号を増幅する。ＡＤＣ１７４は、アナログＶＧＡ１７３から入力された信号をデジタル信号に変換する。デジタルＶＧＡ１７５は、ＡＤＣ１７４から入力された信号を増幅する。ＡＤＣ１７４からの出力信号（ＩＱout）は、デジタル処理部１１０へと入力される。ここで、ＡＤＣ１７４から出力されるＩＱ信号には、ＡＮＴ１１が受信したＲＦ信号の位相や振幅等の情報が含まれる。
【００７０】
ＤＥＴ１７６は、ＡＤＣ１７４から出力されるＩＱ信号の振幅レベルを検出し、ＡＧＣ１７７に入力する。ＡＧＣ１７７は、ＤＥＴ１７６から入力されたＩＱ信号の振幅レベルに応じて、ＬＡＮ１７１、アナログＶＧＡ１０３及びデジタルＶＧＡ１７４による信号の増幅率のフィードバック制御を行う。実施例２では、かかるＡＧＣ機能を利用して、ＲＦ制御信号から制御情報を取り出すこととしている。
【００７１】
具体的には、制御部１１１は、ＤＥＴ１７６により検出されるＩＱ信号の振幅レベル情報をＡＧＣ１７７を介して取得する。そして、制御部１１１は、取得した振幅レベル情報に基づき、ＲＦ制御信号からビットデータとしての制御情報を取り出す。ここで、無線機テスタ２から受信したＲＦ制御信号から制御情報を取り出す処理の一例について説明する。図６は、ＲＦ制御信号から制御情報を取出す方法を説明するための図である。図６では、縦軸は、ＤＥＴ１７６により検出されるＲＸ信号の振幅レベルを示し、横軸は時間を示している。
【００７２】
図６に示すように、制御部１１１は、−３０ｄＢｍ以上の振幅レベルを持つ信号を一定時間以上受信した後、−９０ｄＢｍ以下の振幅レベルを持つ信号を一定時間以上受信すると、制御情報取出処理を開始する。
【００７３】
制御情報取出処理を開始すると、制御部１１１は、制御情報取出処理の開始後に受信したＲＦ信号の振幅レベルが−５０〜−３０ｄＢｍである場合に、このＲＦ信号を「１」の値を持つデータとして認識する。また、制御部１１１は、制御情報取出処理の開始後に受信したＲＦ信号の振幅レベルが−７０〜−９０ｄＢｍである場合に、このＲＦ信号を「０」の値を持つデータとして認識する。このようにして、制御部１１１は、受信したＲＦ制御信号をビットデータとして認識する。
【００７４】
例えば、図６に示す例では、制御情報取出処理の開始後におけるＲＦ信号の振幅レベルは、−８０ｄＢｍ、−４０ｄＢｍ、−８０ｄＢｍ、−８０ｄＢｍ、−４０ｄＢｍ、−８０ｄＢｍ、−４０ｄＢｍ、−４０ｄＢｍの順に変動している。かかる場合、制御部１１１は、これらのＲＦ信号を「０１００１０１１」の値を持つ８ｂｉｔの制御情報として認識する。このように、無線機テスタ２から受信したＲＦ制御信号から制御情報を取り出すことにより、ＲＦ−ＬＳＩ１７は、ＢＢ−ＬＳＩ１８からの制御なしに動作することができる。
【００７５】
なお、制御部１１１は、ＤＥＴ１７６により検出されるＩＱ信号の振幅レベルの情報を、無線機テスタ２から送信された試験用のＲＦ信号の測定結果として無線機テスタ２に送信する。
【００７６】
ＲＦ−ＬＳＩ１７の送信部の構成について説明する。図７は、ＲＦ−ＬＳＩ１７の送信部の構成を示す図である。同図に示すように、ＲＦ−ＬＳＩ１７の送信部１７''は、ＤＡＣ（Digital-Analog Convertor）１７８と、アナログ送信回路１７９と、制御部１１１と、メモリ部１２０とを有する。
【００７７】
ＤＡＣ１７８は、デジタル処理部１１０から入力されるＩＱ信号（ＩＱin）をアナログ信号に変換する。アナログ送信回路１７９は、ＤＡＣ１７８から入力されたアナログ信号をＲＦ信号に変換する。アナログ送信回路１７９から出力されるＲＦ信号（ＴＸout）は、図４に示すＰＡ１５に入力される。
【００７８】
メモリ部１２０は、テストパターンデータ１２１を格納する。具体的には、メモリ部１２０は、テストパターンデータ１２１として、ＰＮ９データやＰＮ１５データなどのランダムパターンデータを格納する。ランダムパターンデータとは、無線通信性能試験におけるテスト信号として用いられるデータである。例えば、ＰＮ９データは、２の９乗の長さのランダムパターンデータである。
【００７９】
制御部１１１は、ＲＦ制御信号から取り出した制御情報の内容に従い、メモリ部１２０に格納されたテストパターンデータ１２１を用いてデジタルＩＱ信号を生成する。制御部１１１によって生成されたデジタルＩＱ信号は、ＤＡＣ１７８によりアナログ信号に変換された後、アナログ送信回路１７９によりＲＦ信号に変換されて、ＰＡ１５に出力される。ＰＡ１５に出力されたＲＦ信号は、図４に示すように、ＩＳＯ１６、ＤＵＰ１４、ＡＮＴ−ＳＷ１３及びＴＥＳＴ−ＣＨ１２を介して無線機テスタ２に送信される。
【００８０】
このように、ＲＦ−ＬＳＩ１７は、テストパターンデータ１２１をメモリ部１２０に格納しておくことで、ＢＢ−ＬＳＩ１８を用いることなく試験用のＲＦ信号を生成することができる。
【００８１】
次に、実施例２に係る無線通信性能試験システムにおける無線調整／試験の処理手順について説明する。まず、実施例２に係る無線通信性能調整時の処理手順について説明する。図８−１は、実施例２に係る無線通信性能調整時の処理手順を示すフローチャートである。
【００８２】
図８−１に示すように、ＲＦブロック１０に電源が投入されると（ステップＳ１０１）、ＲＦブロック１０が起動する。制御用ＰＣ３は、ＲＦブロック１０の起動を確認した後に、無線機テスタ２の初期設定を行う（ステップＳ１０２）。具体的には、制御用ＰＣ３は、無線機テスタ２に対して無線調整／試験の開始を指示する初期設定情報を送信することで、無線機テスタ２に無線調整／試験時の動作を開始させる。
【００８３】
無線調整／試験時の動作を開始すると、無線機テスタ２は、ＲＦ−ＬＳＩ１７にＲＦ制御信号を送信して動作設定を行う（ステップＳ１０３）。例えば、無線機テスタ２は、所定の送信周波数や送信電力等で試験用のＲＦ信号を送信すべきことを示す内容のＲＦ制御信号をＲＦ−ＬＳＩ１７に送信する。そして、ＲＦ−ＬＳＩ１７は、かかるＲＦ制御信号を受信すると、制御情報を取り出し、取り出した制御情報の内容に従って、所定の送信周波数や送信電力等で試験用のＲＦ信号を送信する。
【００８４】
ＲＦ−ＬＳＩ１７の動作設定が完了したならば、無線通信性能調整処理が行われる（ステップＳ１０４）。例えば、無線機テスタ２は、ＲＦブロック１０から送信された試験用のＲＦ信号の送信周波数や送信電力等を測定する。そして、無線機テスタ２は、測定結果としての送信周波数や送信電力等と、ＲＦ制御信号により指定した送信周波数や送信電力等とを比較することで、ＲＦブロック１０が正しい送信周波数や送信電力等でＲＦ信号を送信したか否かを判定する。
【００８５】
そして、ＲＦブロック１０がＲＦ信号を正しい送信周波数や送信電力等で送信していないと判定した場合には、無線機テスタ２は、ＲＦブロック１０の無線通信性能を調整する。例えば、無線機テスタ２は、ＲＦブロック１０内のＰＡ１５の電力増幅率の設定値を変更すべきことを示す内容のＲＦ制御信号をＲＦ−ＬＳＩ１７に送信する。これにより、ＲＦ−ＬＳＩ１７は、受信したＲＦ制御信号の内容に従って、ＰＡ１５の電力増幅率の設定値を変更する。
【００８６】
このように、無線機テスタ２は、送信周波数、送信電力等を設定条件とした無線通信性能調整処理を行うが、適宜送信周波数及び送信電力等を変えながら無線通信性能調整処理を繰り返す（ステップＳ１０５）。無線機テスタ２は、未処理の設定条件が存在する場合には（ステップＳ１０５否定）、ステップＳ１０３に移行して同様の処理を行う。
【００８７】
これに対して、無線機テスタ２は、全ての設定条件について無線通信性能調整処理を終えた場合には（ステップＳ１０５肯定）、無線通信性能調整処理が正常に行われたか否かを判定する（ステップＳ１０６）。ここで、無線機テスタ２は、エラーの発生等により無線通信性能調整処理が正常に行われなかった設定条件がある場合には（ステップＳ１０６否定）、該当する設定条件の無線通信性能調整処理を再実施する（ステップＳ１０７）。一方、無線機テスタ２は、全ての無線通信性能調整処理が正常に行われた場合には（ステップＳ１０６肯定）、無線通信性能調整を終了する。
【００８８】
無線通信性能調整が終了すると、無線通信性能試験が行われる。図８−２は、実施例２に係る無線通信性能試験時の処理手順を示すフローチャートである。ここで、無線通信性能試験は、ＲＦブロック１０の無線通信性能が無線通信性能調整により正しく調整されたか否かを試験するものであり、基本的には、無線調整処理を同様の処理である。
【００８９】
図８−２に示すように、無線通信性能試験が開始されると、まず、無線機テスタ２によるＲＦ−ＬＳＩ１７の動作設定が行われた後（ステップＳ２０１）、ＲＦブロック１０の無線通信性能試験が行われる（ステップＳ２０２）。これらの処理は、図８−１に示すステップＳ１０３及びステップＳ１０４の処理と同様である。
【００９０】
続いて、無線機テスタ２は、適宜送信周波数及び送信電力等を変えながら無線通信性能試験処理を繰り返す（ステップＳ２０３）。そして、無線機テスタ２は、未処理の設定条件が存在する場合には（ステップＳ２０３否定）、該設定条件についてステップＳ２０１，Ｓ２０２の処理を行う。
【００９１】
これに対して、無線機テスタ２は、全ての設定条件について無線通信性能試験処理を終えた場合には（ステップＳ２０３肯定）、無線通信性能試験が正常に行われたか否かを判定する（ステップＳ２０４）。ここで、無線機テスタ２は、エラーの発生等により無線通信性能試験処理が正常に行われなかった設定条件がある場合には（ステップＳ２０４否定）、該当する設定条件の無線通信性能試験処理を再実施する（ステップＳ２０５）。一方、無線機テスタ２は、全ての設定条件について無線通信性能試験処理が行われたと判定した場合には（ステップＳ２０４肯定）、無線通信性能試験を終了する。
【００９２】
次に、無線機テスタ２の具体的動作について説明する。図９は、実施例２に係る無線機テスタの処理手順を示すフローチャートである。図９では、無線機テスタ２が実行する処理手順のうち、無線調整／試験に関する処理手順のみを示す。
【００９３】
図９に示すように、制御用ＰＣ３から初期設定情報を受信すると（ステップＳ３０１）、制御部３２は、無線通信性能調整処理を実行する（ステップＳ３０２）。さらに、制御部３２は、無線通信性能調整処理に引き続き、無線通信性能試験処理を実行する（ステップＳ３０３）。そして、制御部３２は、無線通信性能試験処理を終えると、測定結果や無線通信性能調整の結果等のデータを制御用ＰＣ３に送信して、無線調整／試験に関する処理手順を終了する。
【００９４】
ステップＳ３０２に示した無線通信性能調整処理の処理手順について説明する。図１０は、実施例２に係る無線通信性能調整処理の処理手順を示すフローチャートである。
【００９５】
図１０に示すように、無線通信性能調整処理を開始すると、まず、無線機テスタ２は、無線調整／試験の開始を示すＲＦ制御信号をＲＦ−ＬＳＩ１７に送信する（ステップＳ４０１）。なお、無線機テスタ２は、ＲＦ−ＬＳＩ１７からの無線調整／試験の開始応答を待つために、無線調整／試験の開始を示すＲＦ制御信号をＲＦ−ＬＳＩ１７に対して送信し続ける。
【００９６】
ＲＦ−ＬＳＩ１７から無線調整／試験の開始応答を受信すると（ステップＳ４０２）、無線機テスタ２は、ＲＦ−ＬＳＩ１７との同期が確立したと判定し、処理をステップＳ４０３に移行する。ステップＳ４０３において、無線機テスタ２は、動作設定のためのＲＦ制御信号をＲＦ−ＬＳＩ１７に送信する。ここで、無線機テスタ２は、ＲＦブロック１０の無線受信性能を試験する場合には、ＲＦ信号の受信待機状態に移行すべき旨の内容を示すＲＦ信号をＲＦ−ＬＳＩ１７に送信した後に、試験用のＲＦ信号をＲＦ−ＬＳＩ１７に送信する。
【００９７】
ＲＦ−ＬＳＩ１７からＲＦ信号を受信すると（ステップＳ４０４）、無線機テスタ２は、無線通信性能測定を行う（ステップＳ４０５）。具体的には、無線機テスタ２は、ＲＦブロック１０から受信したＲＦ信号が試験用のＲＦ信号である場合には、無線通信性能測定部３１を用いて、受信したＲＦ信号の送信周波数や送信電力等を測定する。また、無線機テスタ２は、ＲＦブロック１０から受信したＲＦ信号が、ＲＦ−ＬＳＩ１７内で行われたＲＸ信号の測定結果を示すＲＦ信号である場合には、かかるＲＦ信号から測定結果情報を取り出す。
【００９８】
無線通信性能測定を終えると、制御部３２は、ＲＦブロック１０の無線通信性能を調整する必要があるか否かを判定する（ステップＳ４０６）。具体的には、制御部３２は、測定結果としての送信周波数や送信電力と、ＲＦ制御信号により指定した送信周波数や送信電力とを比較することで、ＲＦブロック１０が正しい送信周波数や送信電力等でＲＦ信号を送信したか否かを確認する。
【００９９】
そして、無線機テスタ２は、ＲＦブロック１０が正しい送信周波数や送信電力等でＲＦ信号を送信していない場合には、ＲＦブロック１０の無線通信性能を調整する必要があると判定する（ステップＳ４０６肯定）。ＲＦブロック１０の無線通信性能を調整する必要があると判定すると、無線機テスタ２は、無線通信性能調整のためのＲＦ制御信号をＲＦ−ＬＳＩ１７に送信する（ステップＳ４０７）。
【０１００】
ステップＳ４０７の処理を終えたとき、または、ステップＳ４０６において無線通信性能調整の必要がないと判定した場合には（ステップＳ４０６否定）、制御部３２は、全ての設定条件について調整済みであるか否かを判定する（ステップＳ４０８）。そして、無線機テスタ２は、未処理の設定条件が存在する場合には（ステップＳ４０８否定）、ステップＳ４０３に移行し、未処理の設定条件について同様の処理を行う。
【０１０１】
一方、無線機テスタ２は、全ての設定条件について調整済みであると判定した場合には（ステップＳ４０８肯定）、無線通信性能調整が正常に行われたか否かを判定する（ステップＳ４０９）。ここで、無線機テスタ２は、エラーの発生等により無線通信性能調整が正常に行われなかった設定条件がある場合には（ステップＳ４０９否定）、該当する設定条件についてステップＳ４０３〜Ｓ４０７の処理を再実施する（ステップＳ４１０）。一方、無線機テスタ２は、無線通信性能調整処理が正常に行われた場合には（ステップＳ４０９肯定）、無線通信性能調整処理を終了する。
【０１０２】
ステップＳ３０３に示した無線通信性能試験処理について説明する。図１１は、実施例２に係る無線通信性能試験処理の処理手順を示すフローチャートである。ここで、図１１に示す無線通信性能試験処理では、図１０に示したステップＳ４０３〜Ｓ４１０と同様の処理が行われる。
【０１０３】
具体的には、ステップＳ５０１において、無線機テスタ２は、動作設定のためのＲＦ制御信号をＲＦ−ＬＳＩ１７に送信する。ＲＦ−ＬＳＩ１７からＲＦ信号を受信したならば（ステップＳ５０２）、無線機テスタ２は、無線通信性能測定を行い（ステップＳ５０３）、ＲＦブロック１０の無線通信性能を調整する必要があるか否かを判定する（ステップＳ５０４）。そして、無線機テスタ２は、無線通信性能調整の必要があると判定した場合には（ステップＳ５０４肯定）、無線通信性能調整のためのＲＦ制御信号をＲＦ−ＬＳＩ１７に送信する（ステップＳ５０５）。
【０１０４】
ステップＳ５０５の処理を終えたとき、または、ステップＳ５０４において無線通信性能調整の必要がないと判定した場合には（ステップＳ５０４否定）、制御部３２は、全ての条件について調整済みであるか否かを判定する（ステップＳ５０６）。そして、無線機テスタ２は、未処理の設定条件が存在する存在する場合には（ステップＳ５０６否定）、ステップＳ５０１に移行して同様の処理を行う。
【０１０５】
一方、無線機テスタ２は、全ての設定条件について調整済みであると判定した場合には（ステップＳ５０６肯定）、無線通信性能試験処理が正常に行われたか否かを判定する（ステップＳ５０７）。そして、無線機テスタ２は、エラーの発生等により無線通信性能試験処理が正常に行われなかった設定条件がある場合には（ステップＳ５０７否定）、該当する設定条件についてステップＳ５０１〜Ｓ５０５の処理を再実施する（ステップＳ５０８）。一方、無線機テスタ２は、無線通信性能試験処理が正常に行われた場合には（ステップＳ５０７肯定）、無線通信性能試験処理を終了する。
【０１０６】
次に、携帯電話１の具体的動作について説明する。図１２は、実施例２に係る携帯電話１の処理手順を示すフローチャートである。図１２では、ＲＦ−ＬＳＩ１７が実行する処理手順のうち、無線調整／試験に関する処理手順のみを示す。
【０１０７】
図１２に示すように、ＲＦブロック１０に電源が投入されると（ステップＳ６０１）、ＲＦ−ＬＳＩ１７は、無線機テスタ２から無線調整／試験の開始を示すＲＦ制御信号を受信する（ステップＳ６０２）。ここで、ＲＦ−ＬＳＩ１７は、ＲＦブロック１０に電源が投入されると、自動的に無線機テスタ２からのＲＦ制御信号を受信可能な状態に移行する。無線調整／試験の開始を示すＲＦ制御信号を受信すると、ＲＦ−ＬＳＩ１７は、無線調整／試験の開始応答を無線機テスタ２に送信する（ステップＳ６０３）。
【０１０８】
無線調整／試験の開始応答を無線機テスタ２に送信すると、ＲＦ−ＬＳＩ１７は、動作設定のためのＲＦ制御信号を受信したか否かを判定する（ステップＳ６０４）。具体的には、ＲＦ−ＬＳＩ１７は、制御部１１１によりＲＦ制御信号から取り出された制御情報が、動作設定のための制御情報である場合には、動作設定のためのＲＦ制御信号を受信したと判定する。この処理において、動作設定のためのＲＦ制御信号を受信したと判定すると（ステップＳ６０４肯定）、ＲＦ−ＬＳＩ１７は、このＲＦ制御信号から取り出した制御情報に基づき、ＲＦ信号の送受信処理を行う（ステップＳ６０５）。
【０１０９】
具体的には、ＲＦ−ＬＳＩ１７は、取り出した制御情報の内容が、試験用のＲＦ信号を送信すべきことを示している場合には、この制御情報により指定された送信周波数や送信電力等を用いて試験用のＲＦ信号を無線機テスタ２に送信する。また、ＲＦ−ＬＳＩ１７は、取り出した制御情報の内容が、試験用のＲＦ信号の受信処理を行うべきことを示している場合には、無線機テスタ２から送信される試験用のＲＦ信号の受信待機状態に移行する。そして、ＲＦ−ＬＳＩ１７は、無線機テスタ２から受信した試験用のＲＦ信号の受信周波数や受信電力等を測定し、測定結果を無線機テスタ２に送信する。
【０１１０】
一方、ＲＦ−ＬＳＩ１７は、動作設定のためのＲＦ制御信号を受信していない場合には（ステップＳ６０４否定）、無線通信性能調整のためのＲＦ制御信号を受信したか否かを判定する（ステップＳ６０６）。この処理において、無線通信性能調整のためのＲＦ制御信号を受信したと判定すると（ステップＳ６０６肯定）、ＲＦ−ＬＳＩ１７は、受信したＲＦ制御信号の内容に従い、無線通信性能調整を行う（ステップＳ６０７）。例えば、ＲＦ−ＬＳＩ１７の制御部１１１は、ＰＡ１５によるＲＦ信号の電力増幅率の設定値を変更する。
【０１１１】
一方、ＲＦ−ＬＳＩ１７は、無線性能調整のためのＲＦ制御信号を受信していない場合には（ステップＳ６０６否定）、試験用のＲＦ信号を受信したか否かを判定する（ステップＳ６０８）。この処理において、試験用のＲＦ信号を受信したと判定すると（ステップＳ６０８肯定）、ＲＦ−ＬＳＩ１７は、受信した試験用のＲＦ信号の測定処理を行い（ステップＳ６０９）、測定結果を無線機テスタ２に送信する（ステップＳ６１０）。
【０１１２】
ステップＳ６０５，Ｓ６０７，Ｓ６１０の処理を終えたとき、または、ステップＳ６０８の処理において試験用のＲＦ信号を受信していない場合には（ステップＳ６０８否定）、ＲＦ−ＬＳＩ１７は、処理をステップＳ６０４に移行する。
【０１１３】
上述してきたように、実施例２に係る無線通信性能試験システムＳでは、ＲＦ−ＬＳＩ１７の動作制御を無線機テスタから送信されるＲＦ制御信号により行うことにより、ＢＢ−ＬＳＩ１８を用いることなく無線調整／試験を行う。これにより、実施例２に係る無線通信性能試験システムＳでは、無線通信性能試験の対象外であるＢＢ−ＬＳＩ１８の起動時間を削減できるとともに、携帯電話１内部の処理時間を短縮することができる。この結果、実施例２に係る無線通信性能試験システムＳは、無線通信性能試験に要する時間が短縮することができる。
【０１１４】
また、実施例２に係る無線性能試験システムＳでは、ＲＦブロック１０の動作設定に対する携帯電話１からの設定応答が、無線調整／試験の開始時のみ通知される。このため、実施例２に係る無線性能試験システムＳでは、制御用ＰＣ３がＲＦ−ＬＳＩ１７の動作制御を行う場合と比較して、携帯電話１からの設定応答の待ち時間を削減することができる。
【０１１５】
また、実施例１に係る無線通信性能試験方法は、無線機テスタ２がＲＦ−ＬＳＩ１７を制御するので、制御用ＰＣ３を携帯電話１ごとに用意する必要がなくなる。このため、実施例２に係る無線通信性能試験システムＳは、複数台の無線通信装置６０の無線通信性能試験を行う場合の効率性を向上させることができる。
【０１１６】
以上、本発明の実施の形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０１１７】
例えば、実施例２では、ＲＦ−ＬＳＩ１７をＵＭＴＳ（Universal Mobile Telecommunications System）の１バンドのみに対応した構成としたが、ＵＴＭＳ及びＧＳＭ（Global System for Mobile Communications）機能が１チップ化された構成としてもよい。また、ＲＦ−ＬＳＩ１７は、マルチバンド対応したものであってもよい。
【０１１８】
また、ＲＦブロック１０と無線機テスタ２とは、ＲＦケーブル４を介して各種ＲＦ信号を送受信することとしたが、これに限ったものではなく、ＲＦブロック１０のＡＮＴ１１との無線機テスタ２の図示しないアンテナとの間でＲＦ信号の送受信を行ってもよい。
【０１１９】
また、制御部１１１は、ＲＦ制御信号から制御情報を取り出す場合に、高出力のＲＦ信号を「１」と認識し、低出力のＲＦ信号を「０」と認識することとしたが、高出力のＲＦ信号を「０」と認識し、低出力のＲＦ信号を「１」と認識してもよい。
【０１２０】
また、実施例２では、無線通信性能調整の必要があるか否かの判定を無線機テスタ２が行うこととしたが、これに限ったものではない。例えば、無線機テスタ２が、図１０のステップＳ４０５における無線通信性能測定の測定結果を制御用ＰＣ３に送信して、制御用ＰＣ３が、測定結果に基づき、無線通信性能調整の必要があるか否かを判定してもよい。
【０１２１】
以上の各実施例を含む実施形態に関し、さらに以下の付記を開示する。
【０１２２】
（付記１）無線通信装置に設けられた無線信号の送受信処理を行う無線ブロックの無線通信性能を試験する無線通信性能試験方法であって、
前記無線ブロックの無線通信性能を測定する無線通信試験用測定装置が、前記無線ブロックによる無線信号の送受信処理を制御する制御情報を前記無線ブロックに対して無線信号により送信する送信ステップと、
前記無線ブロックが、前記送信ステップにより送信された無線信号から前記制御情報を取り出し、取り出した制御情報に基づき無線信号の送受信処理を実行する送受信処理ステップと、
前記無線ブロックの送受信処理により送受信された無線信号の測定を行う無線通信性能測定処理ステップと
を含んだことを特徴とする無線通信性能試験方法。
【０１２３】
（付記２）前記送受信処理ステップは、取り出した制御情報が、前記無線ブロックによる無線信号の送信処理を制御する制御情報である場合に、該制御情報に基づき、前記無線通信試験用測定装置に対する無線信号の送信処理を実行し、
前記無線通信性能測定処理ステップは、前記無線通信試験用測定装置が、前記無線ブロックの送信処理により送信された無線信号の測定を行う
ことを特徴とする付記１に記載の無線通信性能試験方法。
【０１２４】
（付記３）前記送受信処理ステップは、取り出した制御情報が、前記無線ブロックによる無線信号の受信処理を制御する制御情報である場合に、該制御情報に基づき、無線信号の受信処理を実行し、
前記無線通信性能測定処理ステップは、前記無線通信装置が、前記無線ブロックの受信処理により受信された無線信号の測定を行い、測定結果を前記無線通信試験用測定装置に送信する
ことを特徴とする付記１または２に記載の無線通信性能試験方法。
【０１２５】
（付記４）前記送信ステップは、１又は０の値を含んだビットデータである制御情報を振幅変調して得られる無線信号を前記無線ブロックに対して送信し、
前記送受信処理ステップは、前記送信ステップにより送信された無線信号の振幅レベルを検出し、検出した振幅レベルを所定の閾値を用いて高出力と低出力とに区別することにより、前記無線信号から１又は０の値を含むデータを制御情報として取り出す
ことを特徴とする付記１〜３のいずれか１つに記載の無線通信性能試験方法。
【０１２６】
（付記５）前記送信ステップは、前記制御情報としての無線信号を送信する前に、所定の無線信号を前記無線通信装置に対して送信し、
前記送受信処理ステップは、前記所定の無線信号を受信した場合に、その後に受信する無線信号から前記制御情報を取り出す
ことを特徴とする付記１〜４のいずれか１つに記載の無線通信性能試験方法。
【０１２７】
（付記６）前記無線ブロックは、テストパターンデータを記憶するメモリ部を有し、
前記送受信処理ステップは、前記送信ステップにより送信された無線信号から取り出した制御情報に基づき、前記テストパターンデータを前記メモリ部から取り出し、取り出したテストパターンデータに基づく無線信号を生成して前記無線通信試験用測定装置に送信する
ことを特徴とする付記１〜５の何れか１つに記載の無線通信性能試験方法。
【０１２８】
（付記７）無線通信装置に設けられた無線信号の送受信処理を行う無線ブロックに対して、前記無線信号の送受信処理を制御する制御情報を無線信号により送信する送信手段と、
前記無線ブロックの送受信処理により送信される無線信号の測定を行う無線通信性能測定処理手段と
を備えたことを特徴とする無線通信試験用測定装置。
【０１２９】
（付記８）無線信号の送受信処理を行う無線ブロックを有する無線通信装置と、該無線通信装置の無線通信性能を測定する無線通信試験用測定装置とを含む無線通信性能試験システムであって、
前記無線通信試験用測定装置は、
前記無線ブロックによる無線信号の送受信処理を制御する制御情報を前記無線ブロックに対して無線信号により送信する送信手段と、
前記無線ブロックの送受信処理により送信される無線信号の測定を行う無線通信性能測定処理手段とを備え、
前記無線ブロックは、
前記送信手段により送信された無線信号から前記制御情報を取り出し、取り出した制御情報に基づき無線信号の送受信処理を実行する送受信処理手段
を備えたことを特徴とする無線通信性能試験システム。
【符号の説明】
【０１３０】
Ｓ  無線通信性能試験システム
１ａ〜１ｃ  携帯電話
２ａ〜２ｃ  無線機テスタ
３  制御用ＰＣ
４ａ〜４ｃ  ＲＦケーブル
５  制御用ケーブル
１０ａ〜１０ｃ  ＲＦブロック
１７  ＲＦ−ＬＳＩ
１８ａ〜１８ｃ  ＢＢ−ＬＳＩ
３１  無線通信性能測定部
３２  制御部
１００  アナログ処理部
１１０  デジタル処理部
１１１  制御部
１７６  ＤＥＴ
１７７  ＡＧＣ
１２０  メモリ部
３２０  制御情報送信部
【図１】
0005471187.tif 000002
【図２】
0005471187.tif 000003
【図３】
0005471187.tif 000004
【図４】
0005471187.tif 000005
【図５】
0005471187.tif 000006
【図６】
0005471187.tif 000007
【図７】
0005471187.tif 000008
【図８−１】
0005471187.tif 000009
【図８−２】
0005471187.tif 000010
【図９】
0005471187.tif 000011
【図１０】
0005471187.tif 000012
【図１１】
0005471187.tif 000013
【図１２】
0005471187.tif 000014
【図１３】
0005471187.tif 000015
【図１４】
0005471187.tif 000016